(57)【特許請求の範囲】
【請求項１】
訓練者によって足で押し操作される足押面を有する操作部と、前記操作部に前記操作に抗して負荷を掛ける負荷装置と、前記負荷装置の負荷を前記操作部に伝える伝達機構と、を備える筋力訓練機において、前記操作部に着脱可能に取り付けられて、前記訓練者の足を保持する足保持具であって、
前記操作部の上部に形成される係止孔に挿入係止される係止部材と、
前記係止部材に装着される足保持ベルトと、
を有し、
前記係止部材は、前記係止孔に挿入係止した状態で、少なくとも、
前記係止孔内壁に当接する第１係止部分と、
前記係止孔の上方の前記操作部の裏面側に当接する第２係止部分と、
前記係止孔下方の前記操作部側の表面に当接する第３係止部分と、
を備え、
前記係止部材に装着された前記足保持ベルトに前記訓練者の足の自重が加えられると、前記係止部材が、前記係止孔に、係止されるようになっている、
ことを特徴とする足保持具。
【請求項２】
前記係止部材が前記係止孔に挿入係止された状態で、当該係止部材の一部は、前記係止孔の上方または下方にある前記操作部の一部の表裏面を挟み込む形状になっている、
ことを特徴とする請求項１に記載の足保持具。
【請求項３】
前記係止部材に、足保持ベルト装着部が固定され、
前記足保持ベルトは、前記足保持ベルト装着部に装着される、
ことを特徴とする請求項１または２に記載の足保持具。
【請求項４】
前記足保持ベルトは、上下方向に長さ調節可能に装着される、
ことを特徴とする請求項１ないし３のいずれかに記載の足保持具。
【発明の詳細な説明】
【技術分野】
【０００１】
本発明は、レッグプレスによる筋力訓練ができる筋力訓練機(以下、訓練機という)において、訓練者の筋力訓練時に足で押す足押板上で、当該足を保持する足保持具に関する。
【背景技術】
【０００２】
かかる訓練機においては、訓練者は座部に腰掛け姿勢で、足押板を負荷に抗して足で押し、屈曲した膝を伸展するという動作を繰り返し行なう。
【０００３】
このような訓練機においては、高齢者等の訓練者では、操作部である足押板上に足を保持することが困難な場合がある。
【０００４】
そのため、下記非特許文献１では、オプションとして、足押板の上部に、２つ一対のフックを２対前方に突き出すように引っ掛け、各フック対に引っ掛けて吊るしたフットベルトで、両足の踵側を保持し、足押板上での足の保持をアシストできるようにしている。
【先行技術文献】
【非特許文献】
【０００５】
【非特許文献１】ミナト医科学Ｗｅｂカタログ「フットベルト」(ＭＩＮＡＴＯ  ＧＥＮＥＲＡＬ  ＣＡＴＡＬＯＧの第１５０ページ)
【発明の概要】
【発明が解決しようとする課題】
【０００６】
しかしながら、上記従来では、フックを足押板上部に引っ掛けるだけの構造である。そのため、訓練中の足押板の振動により、足押板上部からフックが外れ、フットベルトが足押板から脱落し易い。また、フックが、振動で足押板と接触して騒音が発生するという課題があった。
【０００７】
一方、かかる課題を解決するために、フックを足押板上部に例えば嵌め合いで装着してフックが外れにくくすると、足押板へのフックの着脱作業が容易でなくなるという課題が発生する。
【０００８】
本発明は、上記課題を解決するためになされたものであり、操作部への着脱が容易な構造でありながら、訓練中に足が外れにくく、かつ、操作部との接触による騒音がなく、安定して足を保持できる足保持具を提供することを目的としている。
【課題を解決するための手段】
【０００９】
本発明は、上記目的を達成するため、以下の手段を提供する。
【００１０】
(１)本発明に係る訓練機用の足保持具は、訓練者によって足で押し操作される足押面を有する操作部と、前記操作部に前記操作に抗して負荷を掛ける負荷装置と、前記負荷装置の負荷を前記操作部に伝える伝達機構と、を備える筋力訓練機において、前記操作部に着脱可能に取り付けられて、前記訓練者の足を保持する足保持具であって、
前記操作部の上部に形成される係止孔に挿入係止される係止部材と、
前記係止部材に装着される足保持ベルトと、を有し、
前記係止部材は、前記係止孔に挿入係止した状態で、少なくとも、前記係止孔内壁に当接する第１係止部分と、前記係止孔の上方の前記操作部の裏面側に当接する第２係止部分と、前記係止孔下方の前記操作部側の表面に当接する第３係止部分と、を備え、
前記係止部材に装着された前記足保持ベルトに前記訓練者の足の自重が加えられると、前記係止部材が、前記係止孔に係止されるようになっている、ことを特徴としている。
【００１１】
前記操作部は、足押板とその周囲のフレームとを含んだ構成や、足押板単独での構成も含むことができる。前者の構成では、前記係止孔は、足押板とフレームとの隙間で構成することができ、後者の構成では、足押板そのものに形成した係止孔を含むことができる。また、前記負荷装置には、電動モーターにより操作部に負荷をかける負荷装置だけでなく、錘により操作部に負荷をかける負荷装置を含む。
【００１２】
この構成によれば、係止部材に装着された足保持ベルトに訓練者の足の自重が加えられると、係止部材が、係止孔に係止されて、足保持具は操作部に安定して取り付けられる。そのため、足保持具が訓練中に操作部から不用意に外れたり、操作部との接触による接触音が発生したりすることがなくなる。
【００１３】
また、係止部材を係止孔に挿入して係止するので、足保持具が操作部の左右からずり落ちて落下するようことがなくなる。
【００１４】
さらに、係止部材と係止孔との嵌め合いを厳しくする必要がないので、係止部材を係止孔に着脱する作業性が損なわれることなく、着脱作業を容易にできると共に、着脱の際に操作部本体を傷つけることがなくなり、見栄えが向上する。
【００１５】
そのうえ、ネジ止めなどで足保持具を取り付ける必要がないから、ネジによる錆の発生とか、ネジ止めという作業もなくなる。
【００１６】
さらに、第１係止部分が係止孔に当接し、第２係止部分が係止孔上方の周辺の裏面側に当接し、第３係止部分が前記係止孔下方の前記操作部側の表面に当接する。そのため、係止部材を足押板上に安定して取り付けることができ、係止部材に取り付けた足保持ベルトが、訓練中に、不用意に外れにくくなり、訓練を安全に実施することができる。
【００１７】
(２)本発明において、好ましい実施態様では、前記係止部材が前記係止孔に挿入係止された状態で、当該係止部材の一部は、前記係止孔の上方または下方にある前記操作部の一部の表裏面を挟み込む形状になっている。
【００１８】
この構成によれば、係止部材を係止孔に挿入係止させる際、係止部材に対して係止孔から脱落する方向のモーメントが作用しても、係止部材は、係止孔から容易に脱落しない。
【００１９】
そのため、係止部材を操作部の足押面上に安定して取り付けることができ、この係止部材に足保持ベルトを取り付ければ、足保持ベルトはその自重により、訓練中に足保持ベルトは不用意に外れなくなり、操作部上に安定して取り付けることができる。
【００２０】
(３)本発明において、好ましい実施態様では、前記係止部材に足保持ベルト装着部が固定され、前記足保持ベルトは、前記足保持ベルト装着部に装着される。
【００２１】
この構成によれば、係止部材に足保持ベルト装着部が固定されているので、係止部材は、係止孔に装着されると、係止孔に安定して係止される。
【００２２】
(４)本発明において、好ましい実施態様では、前記足保持ベルトは、上下方向に長さ調節可能に装着される。
【００２３】
この構成によれば、足保持ベルトは、その長さを調節して、操作部の足押面全面で足を保持できるように、足を保持させることができる。
【発明の効果】
【００２４】
本発明によれば、操作部への着脱が容易な構造でありながら、訓練中に足が外れにくく、かつ、操作部との接触による騒音がなく、安定して足を保持できる。
【図面の簡単な説明】
【００２５】
【図１】本発明の実施形態に係る足保持具が使用される訓練機の斜視図である。
【図２】図１の足保持具の拡大斜視図である。
【図３】図１の足保持具の拡大断面図である。
【図４】図１の足保持具における係止部材と足保持ベルト装着部とのさらなる拡大斜視図である。
【図５】足保持具の第１変形例を示す斜視図である。
【図６】足保持具の第２変形例を示す斜視図である。
【図７】足保持具の第３変形例を示す斜視図である。
【発明を実施するための形態】
【００２６】
以下、添付した図面を参照して、本発明の実施形態に係る訓練機用の足保持具を説明する。
【００２７】
図１を参照して、訓練機１は、ローイングによる筋力訓練(ローイング訓練)とレッグプレスによる筋力訓練(レッグプレス訓練)が可能な訓練機である。訓練機１は、フレームである基台２と、訓練者が乗る乗部３と、ローイング訓練時に操作するローイング操作部４と、レッグプレス訓練時に訓練者が足で押し込むレッグプレス操作部５と、レッグプレス操作部５の動きを抑制し当該レッグプレス操作部５に負荷をかける負荷装置６と、負荷装置６からの負荷を操作部に伝達する伝達機構７と、を備える。
【００２８】
なお、以下の説明で左右方向および前後方向は訓練者が乗部３に座った状態で訓練者から見た方向である。
【００２９】
乗部３は、訓練者が乗る座部３ａと、背凭れ部３ｂとからなる。背凭れ部３ｂは、位置調整部３ｄで背凭れの前後の位置が調整可能になっている。
【００３０】
ローイング操作部４は、コの字状のフレーム４ａを有し、上部に左右一対で把持部４ｂが設けられ、フレーム４ａの両端は、基台２に軸支されている。
【００３１】
ローイング操作部４は、レッグプレス操作部５の操作時に、ロック機構(図示略)で操作がロックされ、レッグプレス操作部５は、ローイング操作部４の操作時に、別のロック機構(図示略)でロックされる。これらロック機構の詳細は省略する。
【００３２】
レッグプレス操作部５は、訓練者の足により押し操作される平坦な足押面を表面側に有する足押板５ａと、足押板５ａをその裏面側から支持する一対の支持アーム５ｂと、を有する。支持アーム５ｂの下端は、基台２に軸支されている。
【００３３】
足押板５ａは、矩形形状のフレーム５ｃに嵌め込まれている。足押板５ａとフレーム５ｃは、いずれもレッグプレス操作部５の一部を構成する。
【００３４】
フレーム５ｃは、足押板５ａの上部側のフレーム部５ｃ１と、このフレーム５ｃ１の上方において該フレーム５ｃ１との間で後述の係止孔５ｄを形成する最上部フレーム部５ｃ２とを有する。
【００３５】
訓練者は、乗部３に腰掛け姿勢で、足押板５ａを負荷装置６の負荷に抗して足で押し、屈曲した膝を伸展するという動作を繰り返してレッグプレス訓練を行なう。
【００３６】
負荷装置６は、電動モーター(図示略)を内蔵する。
【００３７】
伝達機構７は、索条７ａと、滑車７ｂと、を含む。
【００３８】
索条７ａは、その一端側が、ローイング操作部４のフレーム４ａに設けられた索条固定部７ｃに固定され、滑車７ｂに巻き掛けられたうえで、その他端側が、負荷装置６内の電動モーターに接続されている。
【００３９】
滑車７ｂは、足押板５ａの裏面側のシャフト７ｄの一端側に回転可能に取り付けられ、ローイング操作時は、足押板５ａが固定のため定滑車となり、レッグプレス操作時は足押板５ａが移動するため動滑車となる。
【００４０】
実施形態では、足押板５ａ上に左右一対の足保持具８が着脱可能に配置されている。以下、両足保持具８は同形状であるので、一方の足保持具８を説明する。
【００４１】
図２〜図４を参照して、足保持具８は、係止部材９と、足保持ベルト１０と、足保持ベルト装着部１１と、を備える。
【００４２】
係止部材９は、金属板材を中間部分から一端側が直角に折り曲げられ、他端側が前記直角方向とは反対方向に直角に折り曲げられて構成される。
【００４３】
詳細には、係止部材９は、フレーム５ｃ１で構成される係止孔５ｄの下方内壁に当接する第１係止部分９ａと、フレーム５ｃ２の裏面側に当接する第２係止部分９ｂと、フレーム５ｃ１で構成される係止孔５ｄの下方前記操作部側の表面に当接する第３係止部分９ｃとから構成される。第１係止部分９ａは、係止部材９の中間部分であり、第２係止部分９ｂは、係止部材９の一端側であり、第３係止部分９ｃは、係止部材９の他端側である。
【００４４】
足保持ベルト装着部１１は、一端側が下方直角に折り曲げられて係止部材９に接合されてなる係止部材装着部１１ａを構成し、他端側が上方直角に曲がって足保持ベルト脱落防止部１１ｂを構成し、これらの中間に足保持ベルト１０を保持するベルト保持部１１ｃを構成する。
【００４５】
また、係止部材９の各係止部分９ａ〜９ｃそれぞれに、フレーム５ｃ１，５ｃ２に対する滑り防止のため、弾性部材１２ａ〜１２ｃが装着されている。
【００４６】
足保持ベルト１０は、柔軟性を有する材料からなり、その両端が、足保持ベルト装着部１１のベルト保持部１１ｃに巻き付けられて装着される。
【００４７】
足保持具８の係止孔５ｄへの取り付け手順を、以下、説明する。
【００４８】
まず、足押板５ａの表面側から係止部材９の第２係止部分９ｂを係止孔５ｄに挿入する。
【００４９】
ここで、係止孔５ｄは、左右方向に長い矩形状の孔形状になっている。この係止孔５ｄは、後述する足保持具８の係止部材９を容易に挿入させて係止させることができる大きさを有する。図例では、係止孔５ｄは、上下方向に係止部材９の板厚の数倍以上の長さを有し、また、左右方向に係止部材９の２倍以上の長さを有する矩形形状になっている。
【００５０】
次いで、係止部材９の第１係止部分９ａが係止孔５ｄ内に位置すると、係止部材９を反時計回りに回転させる。この反時計回り方向は、足保持具８を図３で見る方向である。以下でも、同様である。
【００５１】
そうすると、係止部材９の第１係止部分９ａは、係止孔５ｄの内壁に当接し、第２係止部分９ｂは、係止孔５ｄ上方のフレーム５ｃ２の裏面側に当接し、第３係止部分９ｃは、第３係止部分９ｃの一部は、係止孔５ｄ下方のフレーム５ｃ１の表面側に当接する。
【００５２】
この場合、第３係止部分９ｃに、足保持ベルト装着部１１が接合固定されているので、係止部材９には、第１係止部分９ａを中心とした時計回り方向のモーメントよりも反時計回り方向のモーメントの方が大きい。そのため、係止部材９は、係止孔５ｄに装着されると、係止孔５ｄに安定して係止される。
【００５３】
また、足保持ベルト装着部１１に足保持ベルト１０を装着して足保持具８を完成した状態にしておくと、前記反時計回り方向のモーメントがより増大し、係止部材９は、係止孔５ｄにより安定して取り付けられる。
【００５４】
次いで、足保持ベルト装着部１１に足保持ベルト１０の両端を巻き付けて装着する。この場合、足保持ベルト１０の両端のベルト面は機械的な接着構造、例えば、接着テープ等が貼り付けられている。そのため、足保持ベルト１０は、その上下方向の長さを適宜に調整したうえで、その両端を足保持ベルト装着部１１に巻き付けて、取り付けることができる。
【００５５】
以上のように実施形態の足保持具８は、足押板５ａに安定的に押し付けられて取り付けられる。そのため、訓練者は、足保持ベルト１０に両足の踵側を保持させて、足押板５ａを押し込んで訓練を安全に実施することができる。
【００５６】
また、足保持具８は、足押板５ａに押し付けられるように装着されるので、訓練中、足保持具８は足押板５ａに接触する接触音がなくなり、訓練者は、接触音に煩わされずに、訓練を実施することができる。
【００５７】
特に、足保持具８で両足を保持すると、反時計回り方向のモーメントが増大する。そのため、訓練中に、足保持具８が外れるようなことがなくなり、安全に訓練を実施することができる。
【００５８】
さらに、足押板５ａに足保持具８に対して着脱する際、係止孔５ｄは、係止部材９より十分に大きいので、その着脱が容易である。
【００５９】
次に、図５〜図７を参照して、足保持具の変形例を説明する。この変形例では、係止部材９を係止孔５ｄにより安定して係止できる。
【００６０】
図５は、足保持具の第１変形例を示す。図５において、図１〜図４と対応する部分には同一の符号を付す。
【００６１】
第１変形例の足保持具８Ａにおける係止部材９では、第２係止部分９ｂの両端が上下方向に延び、その上端側がフレーム５ｃ２に当接し、その下端側がフレーム５ｃ１に当接した形状になっている。
【００６２】
第１変形例では、第１係止部分９ａは、係止孔５ｄ内壁に当接し、第２係止部分９ｂの上端側は、フレーム５ｃ２に当接し、第３係止部分９ｃの一部は、係止孔５ｄ下方のフレーム５ｃ１の表面側に当接する。このとき、第３係止部分９ｃと足押板５ａの表面の間には僅かな空隙があり当接はしていない。
【００６３】
足保持具８Ａでは、第２係止部分９ｂの下端側と、第３係止部分９ｃとで、係止孔５ｄの下方における足押板５ａの一部(操作部の一部)をその表裏面から挟み込む形状になっている。
【００６４】
そのため、係止部材９に時計回り方向または反時計回り方向のいずれの方向に回転モーメントが作用しても、係止部材９は、係止孔５ｄから脱落しにくい。
【００６５】
その為、足保持ベルト装着部１１に足保持ベルト１０を安定して装着でき、訓練中、足保持具８Ａは安定して足押板５ａに装着される。
【００６６】
図６は、足保持具の第２変形例を示す。図６において、図１〜図４と対応する部分には同一の符号を付す。
【００６７】
第２変形例の足保持具８Ｂにおいては、係止部材９の第２係止部分９ｂの途中に第４係止部分９ｄが形成されている。この第４係止部分９ｄはＬ形状であり、第２係止部分９ｂから垂直に立ち上がる第１部分９ｄ１と、第１部分９ｄ１から垂直上方に立ち上がる第２部分９ｄ２とから構成される。
【００６８】
第４係止部分９ｄの第２部分９ｄ２は、第２係止部分９ｂとともに、係止孔５ｄの上方にあるフレーム５ｃ２(操作部の一部)をその表裏面から挟み込んでいる。これにより、係止部材９は、係止孔５ｄに挿入係止する際、時計回り方向または反時計回り方向のいずれの方向に回転モーメントが作用しても、係止孔５ｄから容易に脱落しない。
【００６９】
そのため、足保持具８Ｂでは、足保持ベルト装着部１１に保持ベルト１０を安定して装着でき、訓練中、足保持具８Ｂは安定して足押板５ａに装着される。
【００７０】
図７は、足保持具の第３変形例を示す。図７において、図１〜図４と対応する部分には同一の符号を付す。
【００７１】
第３変形例の足保持具８Ｃでは、係止部材９の第３係止部分９ｃの上端が足押板５ａからフレーム５ｃ２まで延びている。
【００７２】
また、第３係止部分９ｃの途中から第１係止部分９ａが垂直に延びて係止孔５ｄ内におけるフレーム５ｃ１に当接している。
【００７３】
また、第２係止部分９ｂが、第３係止部分９ｃの上方途中から垂直に延びる第１部分９ｂ１と、第１部分９ｂ１から垂直上方に延びる第２部分９ｂ２とで、Ｌ形状になっている。
【００７４】
第２係止部分９ｂの第２部分９ｂ２は、フレーム５ｃ２に当接すると共に、第３係止部分９ｃの上端との間でフレーム５ｃ２をその表裏面から挟み込んでいる。
【００７５】
これにより、係止部材９は、係止孔５ｄに挿入係止する際、時計回り方向または反時計回り方向のいずれの方向に回転モーメントが作用しても、係止孔５ｄから容易に脱落しない。
【００７６】
そのため、足保持ベルト装着部１１に足保持ベルト１０を安定して装着でき、訓練中、足保持具８Ｃは安定して足押板５ａに装着される。
【００７７】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００７８】
１  筋力訓練機
２  基台
３  乗部
４  ローイング操作部
５  レッグプレス操作部
５ａ  足押板
５ｂ  支持アーム
５ｃ  フレーム
５ｃ１  フレーム
５ｃ２  フレーム
５ｄ  係止孔
６  負荷装置
７  伝達機構
８  足保持具
９  係止部材
１０  足保持ベルト
【図１】
0006639824.tif 000002
【図２】
0006639824.tif 000003
【図３】
0006639824.tif 000004
【図４】
0006639824.tif 000005
【図５】
0006639824.tif 000006
【図６】
0006639824.tif 000007
【図７】
0006639824.tif 000008